(57)【要約】【課題】被写界の表示を行いながら、容易にシェーディング補正を行うことができるシェーディング補正機能付表示装置の提供。【解決手段】ディジタルカメラ１０は、モニタ２４への表示において、撮像部１６から供給される画像信号１８ａに含まれるシェーディング歪特性により画質劣化をもたらす領域とこの領域に対応したシステム制御部２０の読出し制御によりＲＯＭ（Ｒｅａｄ−Ｏｎｌｙ　Ｍｅｍｏｒｙ）３２から読み出したパターンデータとをＯＳＤ（Ｏｎ−Ｓｃｒｅｅｎ　Ｄｉｓｐｌａｙ）２００で合成して、これまで行われてきた画像全体に対する個々の比較処理に比べて処理量を減らし、迅速に補正を施して、この合成したデータをエンコード部２２で表示形式に合わせてエンコードしてモニタ２４に出力する。【選択図】　　　　図１
2004015487.tif 000002
【特許請求の範囲】
【請求項１】
シェーディング歪特性を有する撮像系から得られた画像信号に含まれるシェーディング歪を補正して該画像信号の表す画像を表示するシェーディング補正機能付表示装置において、該装置は、
該シェーディング歪特性に対する逆の特性を有するパターンデータを記憶する第１の記憶手段と、
第１の記憶手段に対する少なくとも、前記パターンデータの読出し制御を行う読出し制御手段と、
前記撮像系から得られた画像信号のうち、前記シェーディング歪を含む領域と前記パターンデータの対応する領域とを合成する表示合成手段と、
該表示合成手段からの合成したデータを該装置の表示形式に調整する表示調整手段とを含むことを特徴とするシェーディング補正機能付表示装置。
【請求項２】
請求項１に記載の装置において、前記読出し制御手段、前記表示合成手段および前記表示調整手段はまとめて集積化され、第１の記憶手段は、該集積化した回路の外部に第１の記憶手段が配設されていることを特徴とするシェーディング補正機能付表示装置。
【請求項３】
請求項１または２に記載の装置において、該装置は、前記パターンデータを外部から通信により採り込む入出力手段と、
該入出力手段の前記通信を制御する通信制御手段と、
前記入出力手段を介して供給される前記パターンデータを前記読出し制御手段の制御により記憶する第２の記憶手段とを含み、
前記読出し制御手段は、第２の記憶手段により前記パターンデータを読み出し、第１の記憶手段に読み出したパターンデータを書き込む制御を行うことを特徴とするシェーディング補正機能付表示装置。
【発明の詳細な説明】
【０００１】
【発明の属する技術分野】
本発明は、たとえば、光学レンズが有するシェーディング歪特性の補正機能を有する表示装置に関するものである。
【０００２】
【従来の技術】
被写界からの光学情報を装置に撮り込むとき、入射光は、光学レンズを介して撮像素子に送られている。しかしながら、光学レンズの特性には、レンズ中央に比べてレンズの周縁での光量が少なくなる周辺減光特性がある。また、光学レンズを経た入射光は、撮像素子が形成する平らな撮像面に入射する。この結果、結像した像は入射光の光量がレンズの特性を反映してしまうことから、表示画像には周辺減光がシェーディング歪特性として現れる。この特性をイメージセンサに固有なシェーディング歪特性ともいう。
【０００３】
このシェーディング歪特性を有する画像を記録し、この記録を再生してもシェーディング歪特性が改善されない。特開平０８−４６７８２号公報に記載における画像情報読取装置用のシェーディング補正回路では、再生画像がライン全域で均一な明るさとなるようにＲＡＭ（Ｒａｎｄｏｍ　Ａｃｃｅｓｓ　Ｍｅｍｏｒｙ）を用いず簡単な構成で実現する提案がされている。
【０００４】
シェーディング補正回路は、ＥＥＰＲＯＭ（Ｅｌｅｃｔｒｉｃａｌｌｙ　Ｅｒａｓａｂｌｅ　ａｎｄ　Ｐｒｏｇｒａｍｍａｂｌｅ　Ｒｅａｄ−Ｏｎｌｙ　Ｍｅｍｏｒｙ）にシェーディング歪特性を補正するデータを記憶させ、このデータをタイミング発生回路からの読出しパルスでシリアルに読み出し、シリアル−パラレル変換回路で読出しパルスに同期してパラレル変換する。シェーディング補正回路は、さらに、パラレル変換したデータをＤ／Ａ変換器でアナログ信号に変換し、基準電圧としてコンパレータの一端側に供給される。コンパレータの他端側には原稿の画像信号が供給されている。コンパレータは、低電圧側基準電圧の上昇または高電圧側基準電圧の低下を行うことによりシェーディング補正を行っている。
【０００５】
【発明が解決しようとする課題】
ところで、上述したシェーディング補正回路は、コンパレータで補正データと画像信号とを比較して補正を行っているため補正に時間がかかってしまう。これは、記録前の補正がされていない画像と補正後の画像とを確認用としてモニタに表示させようとしても、表示が遅れることから、結果的に補正後の画像が確認されずに記録されてしまう。ユーザは、表示画像と記録画像との間にギャップを感じてしまう。
【０００６】
本発明はこのような従来技術の欠点を解消し、被写界の表示を行いながら、容易にシェーディング補正を行うことができるシェーディング補正機能付表示装置を提供することを目的とする。
【０００７】
【課題を解決するための手段】
本発明は上述の課題を解決するために、シェーディング歪特性を有する撮像系から得られた画像信号に含まれるシェーディング歪を補正してこの画像信号の表す画像を表示するシェーディング補正機能付表示装置において、このシェーディング歪特性に対する逆の特性を有するパターンデータを記憶する第１の記憶手段と、第１の記憶手段に対する少なくとも、前記パターンデータの読出し制御を行う読出し制御手段と、撮像系から得られた画像信号のうち、前記シェーディング歪を含む領域とパターンデータの対応する領域とを合成する表示合成手段と、この表示合成手段からの合成したデータをこの装置の表示形式に調整する表示調整手段とを含むことを特徴とする。
【０００８】
本発明のシェーディング補正機能付表示装置は、撮像系から供給される画像信号に含まれるシェーディング歪を含む領域とこの領域に対応した読出し制御手段の読出し制御により第１の記憶手段から読み出したパターンデータとを表示合成手段で合成しているから、これまで行われてきた画像全体に対する個々の比較処理に比べて処理量を減らし、迅速に補正を施すことができ、この合成したデータを表示調整手段で表示形式に合わせてエンコードして出力することにより、シェーディング補正の結果をモニタしながら、撮影を行うことができる。
【０００９】
【発明の実施の形態】
次に添付図面を参照して本発明によるシェーディング補正機能付表示装置の一実施例を詳細に説明する。
【００１０】
本実施例は、本発明のシェーディング補正機能付表示装置をディジタルカメラ１０に適用した場合である。本発明と直接関係のない部分について図示および説明を省略する。以下の説明で、信号はその現れる接続線の参照番号で指示する。
【００１１】
ディジタルカメラ１０は、光学レンズ系１２、絞り調節機構１４、撮像部１６、前処理部１８、システム制御部２０、エンコード部２２、モニタ２４、ドライバ２６、メモリ制御部２８、通信部３０、ＲＯＭ（Ｒｅａｄ−Ｏｎｌｙ　Ｍｅｍｏｒｙ）３２、ＲＡＭ（Ｒａｎｄｏｍ　Ａｃｃｅｓｓ　Ｍｅｍｏｒｙ）３４、操作部３６およびストレージ３８を含んでいる。ディジタルカメラ１０は、この内、一点鎖線で囲む前処理部１８、システム制御部２０、エンコード部２２、ドライバ２６、メモリ制御部２８、通信部３０およびＲＡＭ　３４をＬＳＩ（Ｌａｒｇｅ−Ｓｃａｌｅ　Ｉｎｔｅｇｒａｔｅｄ　ｃｉｒｃｕｉｔ）として集積化している。
【００１２】
光学レンズ系１２には、光学レンズの配置を自動的に変位調節して被写体を焦点の合った位置関係に調節するオートフォーカス（ＡＦ：　Ａｕｔｏｍａｔｉｃ　Ｆｏｃｕｓ）調節機構が含まれている。機構のそれぞれには、上述した位置に光学レンズを移動させるためモータが配設されている。これらの機構は、各モータにドライバ２６からそれぞれ供給される駆動信号２６ａに応動して動作している。
【００１３】
絞り調節機構１４は、具体的に図示しないが入射光量を調節するＡＥ（Ａｕｔｏｍａｔｉｃ　Ｅｘｐｏｓｕｒｅ）調節機構であり、ドライバ２６からの駆動信号２６ｂに応じてリング部を回転させる。リング部は、羽根を部分的に重ならせてアイリスの形状を丸く形成し、入射する光束を通すようにアイリスを形成する。このようにして絞り調節機構１４はアイリスの口径を変えている。絞り調節機構１４は、メカニカルシャッタをレンズシャッタとして光学レンズ系１２に組み込んでもよい。
【００１４】
撮像部１６は、図示しないが光学ローパスフィルタ、色フィルタおよび固体撮像素子を含む。光学ローパスフィルタは、入射光の空間周波数をナイキスト周波数以下にするフィルタである。色フィルタは、たとえば三原色ＲＧＢの色フィルタセグメントが固体撮像素子の個々の受光素子（ｐｈｏｔｏｓｅｎｓｉｔｉｖｅ　ｃｅｌｌ）と一対一に所定の位置関係に配されたフィルタである。したがって、色フィルタは、固体撮像素子の受光素子の配置に依存する。固体撮像素子は、２次元アレイ状に受光素子が配設され、受光素子で形成する撮像面に結像した光学像を電気信号に光電変換している。固体撮像素子には、光学レンズ系１２を経て集光されたシェーディング歪特性を含む入射光が入射される。
【００１５】
固体撮像素子には、ドライバ２６から駆動信号２６ｃが供給されている。固体撮像素子は、動作モードに応じた駆動信号２６ｃが供給され、入射光から信号電荷が生成され、転送してＱ／Ｖ変換してアナログ電圧信号に変換される。固体撮像素子では、この特性を反映した信号電荷が生成されるので、生成されたアナログ電圧信号もこの特性を有している。撮像部１６は、アナログ電圧信号１６ａを前処理部１８に出力する。
【００１６】
前処理部１８には、ノイズ除去に相関二重サンプリング（Ｃｏｒｒｅｌａｔｅｄ　Ｄｏｕｂｌｅ　Ｓａｍｐｌｉｎｇ：　ＣＤＳ）回路、ゲイン調整アンプ（ＧＣＡ：　Ｇａｉｎ　Ｃｏｎｔｒｏｌ　Ａｍｐｌｉｆｉｅｒ）、およびＡ／Ｄ変換器（Ａｎａｌｏｇ−ｔｏ−Ｄｉｇｉｔａｌ　Ｃｏｎｖｅｒｔｅｒ）が含まれている（図示せず）。前処理部１８は、供給されるアナログ信号１６ａに対してノイズ除去、波形整形、ディジタル化を行って得られた撮像データのすべてを画像データ１８ａとしてシステム制御部２０に出力する。
【００１７】
システム制御部２０は、カメラ全体の汎用な部分やディジタル処理を行う部分を制御するマイクロコンピュータまたはＣＰＵ（Ｃｅｎｔｒａｌ　Ｐｒｏｃｅｓｓｉｎｇ　Ｕｎｉｔ）である。システム制御部２０は、操作部３６から供給される信号３６ａに応じて動作させている。ディジタル処理には、画像処理も含んでいる。システム制御部２０は、図示していないが動作の基本となるクロックも生成している。システム制御部２０は、クロックを基にエンコード部２２、ドライバ２６、メモリ制御部２８、通信部３０およびＲＯＭ　３２を制御している。
【００１８】
これらの制御を説明すると、システム制御部２０は、メモリ制御部２８を制御信号２０ａにより制御して供給された画像データ１８ａをＲＡＭ　３４に送る。システム制御部２０は、画像処理として、供給される画像データ１８ａに対するガンマ補正を行い、さらに、絞り値・シャッタ速度、ホワイトバランス（ＷＢ：　Ｗｈｉｔｅ　Ｂａｌａｎｃｅ）調整および階調補正等に関する演算を行う。後者の演算処理により、システム制御部２０は、撮像におけるパラメータを生成し、ＡＦ／ＡＥ調節に関する制御信号２０ｂを生成し、ドライバ２６に供給する。
【００１９】
システム制御部２０は、通信部３０を制御信号２０ｃにより制御して、たとえば外部のパーソナルコンピュータ（Ｐｅｒｓｏｎａｌ　Ｃｏｍｐｕｔｅｒ：　ＰＣ）４０とデータ通信を行わせる。また、システム制御部２０は、ＲＯＭ　３２における書込み／読出し制御も制御信号２０ｄにより行っている。システム制御部２０は、この他、エンコード部２２やストレージ３８も制御している。ここで、制御信号２０ａ，　２０ｃ，　２０ｄは、データ線も含めて示している。
【００２０】
システム制御部２０には、ＯＳＤ（Ｏｎ−Ｓｃｒｅｅｎ　Ｄｉｓｐｌａｙ）２００が含まれている。ＯＳＤ　２００は、ＲＯＭ　３２から読み出した画像データ１８ａに対するビットマップパターンと画像データ１８ａを合成する機能を有している。この合成により、シェーディング歪特性が補正される。ＯＳＤ　２００は、合成した画像データ２０２をエンコード部２２に供給する。この合成については後段でさらに説明する。
【００２１】
また、システム制御部２０には、マトリクス処理機能部が含まれ（図示せず）、供給される画像データ１８ａと所定の係数を用いて輝度データＹと色データＣｂ，　Ｃｒを生成する。生成した画像データは、図示しない圧縮／伸長処理機能部に供給される。画像データ１８ａには、マトリクス処理の前に画素補間処理を施しておくと高品位な画像が得られる。
【００２２】
圧縮／伸長処理機能部は、たとえばスチル撮影を行う静止画モードにおいて供給される画像データ（Ｙ／Ｃ）にＪＰＥＧ（Ｊｏｉｎｔ　Ｐｈｏｔｏｇｒａｐｈｉｃ　ｃｏｄｉｎｇ　Ｅｘｐｅｒｔｓ　Ｇｒｏｕｐ）や動画（ムービ）撮影する動画モードにおいて供給される画像データ（Ｙ／Ｃ）にＭＰＥＧ（Ｍｏｖｉｎｇ　Ｐｉｃｔｕｒｅ　ｃｏｄｉｎｇ　Ｅｘｐｅｒｔｓ　Ｇｒｏｕｐ）−１，　ＭＰＥＧ−２等の規格でそれぞれ、圧縮処理を施す。圧縮／伸長処理機能部は、データ線３８ａを介して圧縮処理した画像データをストレージ３８に送って記録する。圧縮／伸長処理機能部は、ストレージ３８に記録した画像データをデータ線３８ａを介して供給して伸長処理を施す。この伸長処理は、圧縮処理の逆処理である。
【００２３】
エンコード部２２は、システム制御部２０のＯＳＤ　２００にて合成した画像データ２０２をディジタルカメラ１０で使用するモニタ２４の表示形式にエンコード処理する。モニタ２４には、ＬＣＤ（Ｌｉｑｕｉｄ　Ｃｒｙｓｔａｌ　Ｄｉｓｐｌａｙ）やＥＶＦ（Ｅｌｅｃｔｒｏｎｉｃ　Ｖｉｅｗ　Ｆｉｎｄｅｒ）が用いられる。モニタ２４は、エンコード部２２から供給されるデータ２２ａを表示する。モニタ２４には、シェーディング歪特性の無い画像が表示される。
【００２４】
ドライバ２６は、図示しないタイミング信号生成部で生成されたタイミング信号や制御信号２０ｂを基に駆動信号２６ａ，　２６ｂ，　２６ｃを生成する駆動回路を有している。ドライバ２６は、制御信号２０ｂを基に駆動信号２６ａ，　２６ｂを光学レンズ系１２および絞り調節機構１４にそれぞれ供給してＡＦ調節やＡＥ調節を行わせる。また、ドライバ２６は、タイミング信号を基に生成した駆動信号２６ｃを撮像部１６に供給する。そして、撮像部１６は、駆動信号２６ｃに応動して固体撮像素子のそれぞれが露光期間中に光電変換により得られた信号電荷を蓄積させ、この蓄積した信号電荷を垂直転送レジスタに読み出し、読み出した信号電荷を垂直転送し、信号電荷をラインシフトさせて水平転送レジスタに供給した後、水平転送させる。
【００２５】
メモリ制御部２８は、供給される画像データ１８ａを一時的に格納するＲＡＭ　３４の制御を行う機能を有している。メモリ制御部２８は、制御機能の一つにＲＡＭ　３４の動作特性に対応するように所定の期間毎にＲＡＭ　３４に対してリフレッシュ制御を行っている。
【００２６】
通信部３０には、画像データを外部の機器と入出力する外部Ｉ／Ｆ回路が配されている。外部Ｉ／Ｆ回路としては、たとえば、ＰＩＯ　（Ｐｒｏｇｒａｍｍｅｄ　Ｉｎｐｕｔ／Ｏｕｔｐｕｔ）、ＵＡＲＴ（Ｕｎｉｖｅｒｓａｌ　Ａｓｙｎｃｈｒｏｎｏｕｓ　Ｒｅｃｅｉｖｅｒ／Ｔｒａｎｓｍｉｔｔｅｒ：非同期シリアル通信用送受信回路）、ＵＳＢ（Ｕｎｉｖｅｒｓａｌ　Ｓｅｒｉａｌ　Ｂｕｓ）、ＩＥＥＥ１３９４規格（ｔｈｅ　Ｉｎｓｔｉｔｕｔｅ　ｏｆ　Ｅｌｅｃｔｒｉｃａｌ　ａｎｄ　Ｅｌｅｃｔｒｏｎｉｃｓ　Ｅｎｇｉｎｅｅｒｓ：米国電気電子技術者協会）に基づくインタフェース等がある。
【００２７】
ＲＯＭ　３２には、書き込んだデータを電気的に消去し、新たなデータの書き込みが可能なＥＥＰＲＯＭ（Ｅｌｅｃｔｒｉｃａｌｌｙ　Ｅｒａｓａｂｌｅ　ａｎｄ　Ｐｒｏｇｒａｍｍａｂｌｅ　Ｒｅａｄ−Ｏｎｌｙ　Ｍｅｍｏｒｙ）や高速データ読出しが可能なＲＯＭ等のような不揮発性メモリが用いられる。また、ＲＡＭ　３４には、高速アクセスを行うことのできるＳＲＡＭ（Ｓｔａｔｉｃ　Ｒａｎｄｏｍ　Ａｃｃｅｓｓ　Ｍｅｍｏｒｙ）等が用いられる。
【００２８】
操作部３６には、図示しないがモード選択スイッチおよびレリーズシャッタボタンが含まれている。モード選択スイッチは、静止画撮影モードと動画撮影モードのうち、いずれのモードにするかの選択を行う。レリーズシャッタボタンは、２段階のストロークを有するボタンで、第１段のストロークでディジタルカメラ１０を予備撮像の段階（Ｓ１）と、第２段のストロークで本撮像の段階（Ｓ２）とを報知する。操作部３６は、モード信号やトリガ信号を操作信号３６ａとしてシステム制御部２０に出力する。操作部３６には、この他、ズーム選択スイッチおよび十字ボタンを設けてもよく、液晶表示パネルに表示される条件項目をカーソルの表示位置で選択位置を示して選択する機能を持たせてもよい。
【００２９】
ストレージ３８は、半導体メモリ等を記録媒体として用いて、システム制御部２０から供給される画像データ３８ａを記録する。記録媒体には、光ディスクや光磁気ディスク等を用いてもよい。この場合ストレージ３８は、各記録媒体に適したピックアップやピックアップと磁気ヘッドを組み合わせて記録再生用ヘッドを用いてデータの書込み／読出しを行う。データの書込み／読出しは、図示しないがシステム制御部２０の制御に応じて行われる。
【００３０】
なお、シェーディング歪特性における補正用ビットマップパターンは、出荷時に記憶させる方法に限定されるものでなく、ネットワークを介して使用する光学レンズに対するビットマップパターンを採り込むようにしてもよい。ビットマップパターンは、ＰＣ　４０を経て通信部３０、システム制御部２０からストレージ３８に格納する。使用する光学レンズに合わせて、ユーザは、ストレージ３８からＲＯＭ　３２にビットマップパターンを書き込んで撮影に対応させる。これにより、適用した機器に対するシェーディング補正における柔軟性を大いに高めることができる。
【００３１】
次にディジタルカメラ１０におけるシェーディング歪特性の補正について図１および図２を参照しながら、説明する。これまでにも説明してきたように光学レンズの特性によって、撮像部１６の周縁に対して入射光線が斜めに入射し、中央付近に比べて光量が不足してしまうことがあった。この結果、たとえば画像の四隅が暗く撮影されてしまう。シェーディング歪特性は使用する光学レンズに依存する特性であるから、あらかじめ知ることができる。この特性を調べて製造側では、出荷時に図２（ａ）に示すような逆の特性を有するビットマップパターン３４０を生成し、ＲＯＭ　３４に記憶させる。このビットマップパターン３４０は、画像の暗くなる四隅３４０ａ，　３４０ｂ，　３４０ｃ，　３４０ｄを明るく、斜線部分３４０ｅを暗くするように形成している。
【００３２】
ディジタルカメラ１０は、被写界からの入射光を光学レンズ系１２を介して撮像部１６に入射させ、撮像部１６で光電変換を行い、画像データ１８ａを得る。得られた画像データ１８ａには、シェーディング歪特性が含まれているので、図２（ｂ）に示す画像２４０がモニタ２４に表示される。すなわち、四隅２４０ａ，　２４０ｂ，　２４０ｃ，　２４０ｄが暗く（斜線部分）、斜線のない部分２４０ｅが明るい。
【００３３】
図２（ａ）のビットマップパターン３４０と図２（ｂ）の画像２４０が示す破断線ＩＩ−ＩＩにおいてデータと画像データを比較すると、図２（ｃ）に示す関係が得られる。一点鎖線３４２は、ビットマップパターンの特性で、画像の両端に対応してレベルを高く、中央付近のレベルを低くしている。また、実線２４２は、シェーディング歪特性を表して、画像の両端２４０ａ，　２４０ｂ，　２４０ｃ，　２４０ｄに対応してレベルが低く、中央付近の領域２４０ｅでレベルが高くなっている。
【００３４】
システム制御部２０は、画像データ１８ａの供給に同期して、ＲＯＭ　３２に対する読出し制御を行ってビットマップパターン３４０をＯＳＤ　２００に読み出す。ＯＳＤ　２００では、ビットマップパターン３４０と画像データ１８ａとを合成する。このとき、合成は、画面全体に対して行ってもよいが、歪の顕著な部分、すなわち四隅に着目して合成を行う。この合成によってシェーディング歪特性が改善され、エンコード部２２の処理を経た、図２（ｄ）に示す均一でクリアな画像２４０がモニタ２４に表示される。
【００３５】
ここで、合成は、画像全体に対して行うのでなく、部分的な合成で済ませることができるので、合成処理の時間が短くて済む。部分的な合成は、たとえばあらかじめシェーディング補正を行うレベルを設定し、該当するビットマップパターン側に対して補正対象の領域を決めておく。使用機器がわかり、画素数の設定等が既知の場合、ビットマップパターンにおける領域の境界は、アドレスとして知ることができるから、境界に対する補正対象の領域を限定することができる。これにより、画像全体に対して逐次比較する処理に比べて大幅に処理を軽減することができ、シェーディング補正された画像が直ちにモニタ２４に表示できる。
【００３６】
モニタ２４には、撮像前の画像であっても遅れなく、すでにシェーディング補正された画像が表示されるから、ユーザは、モニタ２４を見ながら撮影を行うことができるようになる。したがって、ユーザは、記録した画像に対してソフト処理を施す場合、これまであったシェーディング歪特性を含むモニタ画像とシェーディング歪特性のない記録した画像との間に感じていたギャップ感（違和感）を少なくすることができる。
【００３７】
以上のように構成することにより、これまでのシェーディング補正に比べて容易に補正することから、シェーディング補正された画像を直ちに表示させることができ、ユーザは、補正された画像を見ながらシーンを確認して記録することになる。これにより、モニタ表示の画像と記録した画像との間にギャップ感を少なくすることができ、使い勝手の良いディジタルカメラを提供できるようになる。
【００３８】
【発明の効果】
このように本発明によれば、読出し制御手段の読出し制御により第１の記憶手段から読み出したパターンデータと、撮像系からの画像信号がシェーディング歪を含む領域とをまとめて表示合成手段で合成しているから、これまで行われてきた画像全体に対する個々の比較処理に比べて処理量を減らし、迅速に補正を施すことができ、この合成したデータを表示調整手段で表示形式に合わせてエンコードして出力し、シェーディング補正の結果をモニタしながら、撮影を行うことにより、ユーザに表示画像と記録画像との間にギャップ感を少なくし、使い勝手の良い装置を提供することができる。
【図面の簡単な説明】
【図１】本発明のシェーディング補正機能付表示装置を適用したディジタルカメラの概略的な構成を示すブロック図である。
【図２】図１において画像データに含まれるシェーディング歪特性を補正する原理を説明する図である。
【符号の説明】
１０　ディジタルカメラ
１２　光学レンズ系
１４　絞り調節機構
１６　撮像部
２０　システム制御部
２２　エンコード部
２４　モニタ
３２　ＲＯＭ
３８　ストレージ
２００　ＯＳＤ
【図１】
2004015487.tif 000003
【図２】
2004015487.tif 000004